(57)【要約】  本発明は無線リンク検出方法、装置及び通信システムを提供する。該無線リンク検出装置は端末装置に設置される。該検出装置は検出ユニットを含む。無線リンク監視に関する第一タイマーが切れたときに、該検出ユニットは、アンライセンスバンドを使用する無線リンクが失敗したと確定し、又は、端末装置の上位層がランダムアクセス問題の指示を受信しており、且つ再確立に関する第二タイマーが動作しないときに、該検出ユニットは、アンライセンスバンドを使用する無線リンクが失敗したと確定する。本発明は、アンライセンスバンドを使用する無線リンクの失敗を検出することができる。
2021532630.tif 000002
【特許請求の範囲】
【請求項１】
端末装置に設けられる無線リンク検出装置であって、
検出ユニットを含み、
無線リンク監視に関する第一タイマーが切れたときに、前記検出ユニットは、アンライセンスバンドを使用する無線リンクが失敗したと確定し；又は
前記端末装置の上位層がランダムアクセス問題の指示を受信しており、且つ再確立に関する第二タイマーが動作しないときに、前記検出ユニットは、アンライセンスバンドを使用する無線リンクが失敗したと確定する、検出装置。
【請求項２】
請求項１に記載の検出装置であって、
第一調整ユニットをさらに含み、
前記第一調整ユニットは、前記端末装置が計測により得たチャネルペイロードパラメータに基づいて、又は、ネットワーク装置が提供する、同期信号ブロック及び／又は参照信号の送信状況を示すパラメータに基づいて、無線リンク失敗検出用パラメータ及び／又は無線リンク失敗検出過程を調整し、
前記検出ユニットは、調整後の前記パラメータ及び／又は前記過程に基づいて、前記アンライセンスバンドを使用する無線リンクの失敗を確定する、検出装置。
【請求項３】
請求項２に記載の検出装置であって、
調整される前記無線リンク失敗検出用パラメータは、以下のパラメータのうちの少なくとも１つを含み、即ち、
前記第一タイマー（Ｔ３１０）の持続時間、前記第一タイマー（Ｔ３１０）を起動するための同期ずれ指示数量（Ｎ３１０）、前記第一タイマー（Ｔ３１０）を停止するための同期指示数量（Ｎ３１１）、及び高速無線リンク失敗（ｆａｓｔ  ＲＬＦ）を検出するときの第四タイマー（Ｔ３１２）の持続時間であり、
或いは、調整される前記無線リンク失敗検出用パラメータは、以下のパラメータのうちの少なくとも１つを含み、即ち、
前記端末装置の上位層にランダムアクセス問題の指示を送信するランダムアクセスプリアンブルを制御するための伝送回数閾値、ランダムアクセスレスポンスに関するウィンドウの長さ、及びランダムアクセス競合解決に関する第三タイマーの持続時間である、検出装置。
【請求項４】
請求項２に記載の検出装置であって、
調整後の無線リンク失敗検出過程は、以下のステップのうちの少なくとも１つを含み、即ち、
同期ずれ指示数量が前記第一タイマー（Ｔ３１０）を起動するための同期ずれ指示数量（Ｎ３１０）に達したときに、前記第一タイマー（Ｔ３１０）を起動せず、引き続き計数を行い、第一指示数量（Ｎ３１３）に達したときに、前記第一タイマー（Ｔ３１０）を起動し、前記第一指示数量（Ｎ３１３）の数値は、ネットワーク装置が提供する、同期信号ブロック及び／又は参照信号の送信状況を示すパラメータに基づいて確定され；
前記第一タイマー（Ｔ３１０）が動作しない場合、同期ずれ指示計数器をサスペンドし、前記同期ずれ指示計数器とは異なる第一計数器を使用し、該第一計数器の計数値が前記第一指示数量（Ｎ３１３）に達したときに、前記同期ずれ指示計数器は計数を回復し、前記第一指示数量（Ｎ３１３）の数値は、ネットワーク装置が提供する、同期信号ブロック及び／又は参照信号の送信状況を示すパラメータに基づいて確定され；
ランダムアクセスプリアンブルの伝送回数が閾値プラス１回に達したときに、前記端末装置の媒体アクセス制御（ＭＡＣ）サブ層が上位層にランダムアクセス問題を報告せず、引き続きランダムアクセスプリアンブルの伝送回数に対して計数を行い、計数値が第一数量（Ｎ１）に達したときに、前記上位層にランダムアクセス問題を報告し、該第一数量の数値は、ネットワーク装置が提供する、同期信号ブロック及び／又は参照信号の送信状況を示すパラメータに基づいて確定され；及び
ランダムアクセスプリアンブルの伝送回数の計数器をサスペンドし、前記ランダムアクセスプリアンブルの伝送回数の計数器とは異なる第二計数器を使用し、該第二計数器の計数値が第二数量（Ｎ２）に達したときに、ランダムアクセスプリアンブルの伝送回数の計数器は計数を回復し、該第二数量の数値は、ネットワーク装置が提供する、同期信号ブロック及び／又は参照信号の送信状況を示すパラメータに基づいて確定されるステップである、検出装置。
【請求項５】
請求項２に記載の検出装置であって、
前記チャネルペイロードパラメータとは、チャネル使用状態を示すパラメータを指す、検出装置。
【請求項６】
請求項５に記載の検出装置であって、
前記チャネルペイロードパラメータは、次のパラメータのうちの少なくとも１つを含み、即ち、チャネルビジー率、チャネル占有率、及びＬＢＴ成功率である、検出装置。
【請求項７】
請求項６に記載の検出装置であって、
前記ＬＢＴ成功率とは、第三所定期間内のＬＢＴの成功回数が該第三所定期間内のすべてのＬＢＴの回数に占める比率を指す、検出装置。
【請求項８】
請求項２に記載の検出装置であって、
ネットワーク装置の設定を受信する第一受信ユニットをさらに含み、
前記第一調整ユニットは、前記ネットワーク装置の設定に基づいて、前記無線リンク失敗検出用パラメータを調整する、検出装置。
【請求項９】
請求項１に記載の検出装置であって、
選択ユニットをさらに含み、
前記無線リンク失敗がプライマリーセル組に発生したときに、前記選択ユニットはセル選択又はセル再選択を行う、検出装置。
【請求項１０】
請求項９に記載の検出装置であって、
前記選択ユニットがセル選択を行うときに、
セル選択の基準においてアンライセンスバンドが第一閾値を使用し、該第一閾値はライセンスバンドが使用する第二閾値と同じであり又は異なり；
セル選択の基準が、ネットワーク装置が確定するチャネルペイロードに関する偏移値により調整され；
セル選択の基準において、前記ネットワーク装置により確定されるチャネルペイロードに関する測定量を使用し；又は
セル選択の基準において、前記ネットワーク装置により確定されるチャネルペイロードに関する測定量の閾値及び／又は偏移値を使用する、検出装置。
【請求項１１】
請求項９に記載の検出装置であって、
前記選択ユニットがセル再選択を行うときに、
前記端末装置がアンライセンスバンドの優先度をライセンスバンドの優先度よりも低く設定し；
セル再選択の基準が、ネットワーク装置が確定するチャネルペイロードに関する偏移値により調整され；
セル再選択の基準において、前記ネットワーク装置により確定されるチャネルペイロードに関する測定量を使用し；又は
セル再選択の基準において、前記ネットワーク装置により確定されるチャネルペイロードに関する測定量の閾値及び／又は偏移値を使用する、検出装置。
【請求項１２】
請求項１に記載の検出装置であって、
第一送信ユニットをさらに含み、
無線リンク失敗発生時に、前記第一送信ユニットは、ネットワーク装置にチャネルペイロードパラメータを送信し、
前記チャネルペイロードパラメータは、チャネルビジー率、チャネル占有率、及びＬＢＴ成功率のうちの少なくとも１つを含む、検出装置。
【請求項１３】
請求項１２に記載の検出装置であって、
前記チャネルペイロードパラメータが以下のメッセージのうちの少なくとも１つにより送信され、即ち、
無線リソース制御（ＲＲＣ）接続再設定完成メッセージ、無線リソース制御（ＲＲＣ）接続再確立完成メッセージ、無線リソース制御（ＲＲＣ）接続回復完成メッセージ、無線リソース制御（ＲＲＣ）接続確立完成メッセージ、測定報告メッセージ、端末装置情報レスポンスメッセージ、及びセコンダリーセル組（ＳＣＧ）情報報告メッセージである、検出装置。
【請求項１４】
請求項１に記載の検出装置であって、
第二調整ユニットをさらに含み、
前記第二調整ユニットは、端末装置の物理層が測定量と閾値の組み合わせにおける各閾値のとの関係に基づいて、又は、チャネルペイロードパラメータと閾値との関係に基づいて、前記端末装置の上位層に同期ずれ指示を報告するかを確定するように制御するために用いられ、
前記閾値の組み合わせには少なくとも２つの閾値があり、
前記検出ユニットは、受信した前記同期ずれ指示に応じて、無線リンク失敗検出用パラメータに基づいて、前記アンライセンスバンドを使用する無線リンクの失敗を確定する。検出装置。
【請求項１５】
ネットワーク装置に設けられる無線リンク検出装置であって、
設定・送信ユニットを含み、該設定・送信ユニットは、
端末装置がチャネルペイロードパラメータに基づいて、前記無線リンク失敗検出用パラメータ及び／又は無線リンク失敗検出過程に対して調整を行うように設定し；又は
前記端末装置に同期信号ブロック及び／又は参照信号の送信状況を示すパラメータを送信し、前記端末装置に、前記無線リンク失敗検出用パラメータ及び／又は無線リンク失敗検出過程に対して調整を行わせる、検出装置。
【請求項１６】
請求項１５に記載の検出装置であって、
前記チャネルペイロードパラメータとは、チャネル使用状態を示すパラメータを指す、検出装置。
【請求項１７】
請求項１５に記載の検出装置であって、
前記ネットワーク装置が前記端末装置に送信する、同期信号ブロック及び／又は参照信号の送信状況を示すパラメータは、以下のパラメータのうちの少なくとも１つを含み、即ち、
前記ネットワーク装置と前記端末装置との間の実際送信の同期信号ブロックの情報、実際送信の参照信号及び／又は同期信号ブロック（ＳＳＢ）の偏移、第四所定期間内でＬＢＴが原因で伝送することができない数量又は回数、及び前記ネットワーク装置が送信するチャネルペイロードパラメータである、検出装置。
【請求項１８】
請求項１５に記載の検出装置であって、
第二設定ユニットをさらに含み、
該第二設定ユニットは、前記端末装置に対して以下のパラメータのうちの１つを設定し、即ち、
セル選択の基準においてアンライセンスバンドが使用する第一閾値であって、該第一閾値はライセンスバンドが使用する第二閾値と同じである又は異なる、もの；
前記ネットワーク装置が確定する、セル選択の基準のためのチャネルペイロードに関する偏移値；
前記ネットワーク装置が確定する、セル選択の基準のためのチャネルペイロードに関する測定量；及び
前記ネットワーク装置が確定する、セル選択の基準における、チャネルペイロードに関する測定量の閾値及び／又は偏移値である、検出装置。
【請求項１９】
請求項１５に記載の検出装置であって、
第三設定ユニットをさらに含み、
該第三設定ユニットは、前記端末装置がセル再選択を行うときに使用するパラメータとして、
ライセンスバンドの優先度がアンライセンスバンドの優先度よりも高いこと；
前記ネットワーク装置が確定する、セル再選択の基準のためのチャネルペイロードに関する偏移値；
前記ネットワーク装置が確定する、セル再選択の基準のためのチャネルペイロードに関する測定量；又は
前記ネットワーク装置が確定する、セル再選択の基準における、ャネルペイロードに関する測定量の閾値及び／又は偏移値
を設定する、検出装置。
【請求項２０】
ネットワーク装置及び端末装置を含む通信システムであって、
前記ネットワーク装置は請求項１５−１９のうちの任意の一項に記載の無線リンク検出装置を含み、前記ネットワーク装置は請求項１−１４のうちの任意の一項に記載の無線リンク検出装置を含む、通信システム。
【発明の詳細な説明】
【技術分野】
【０００１】
本発明は、通信技術分野に関し、特に、無線リンク検出方法、装置及び通信システムに関する。
【背景技術】
【０００２】
従来の無線通信システムでは、特定のトリガー条件が満足される場合、無線リンク失敗（Ｒａｄｉｏ  Ｌｉｎｋ  Ｆａｉｌｕｒｅ、ＲＬＦ）と判定することができる。
【０００３】
該特定のトリガー条件は無線リンク監視（Ｒａｄｉｏ  Ｌｉｎｋ  Ｍｏｎｉｔｏｒｉｎｇ、ＲＬＭ）の過程と関係があっても良い。例えば、端末装置がネットワーク装置送信の、特定の信号を監視し、そして、監視の結果に基づいて、無線リンクに失敗したかを判断することができる。
【０００４】
該特定のトリガー条件はランダムアクセスの過程と関係があっても良く、例えば、ランダムアクセス問題の指示に基づいて、無線リンクに失敗したかを判断することができる。
【０００５】
なお、上述の背景技術についての紹介は、本発明の技術案を明確且つ完全に説明し、また、当業者がそれを理解しやすいためのものである。これらの技術案は、本発明の背景技術に記述されているため、当業者にとって周知であると解釈してはならない。
【発明の概要】
【発明が解決しようとする課題】
【０００６】
本発明の発明者は次のようなことを発見した。即ち、従来技術では、ライセンスバンドを使用する無線リンクについて、該無線リンクに失敗したかを判断することで、端末は接続を回復し又はネットワークに該失敗を通知するが、アンライセンスバンドを用いて通信を行う場合も、端末は接続を回復し又はネットワークに無線リンクの失敗を知らせる必要がある。よって、アンライセンスバンドを使用する無線リンクに対して無線リンク失敗検出を行う必要がある。
【０００７】
本発明の実施例は無線リンク検出方法、装置及び通信システムを提供し、無線リンク監視に関する第一タイマーに基づいて、又は、端末装置の上位層がランダムアクセス問題の指示を受信したこと及び再確立に関する第二タイマーに基づいて、アンライセンスバンドを使用する無線リンクの失敗を確定する。これにより、アンライセンスバンドを使用する無線リンクの失敗を検出することができる。
【課題を解決するための手段】
【０００８】
本発明の実施例の第一側面によれば、端末装置に設けられる無線リンク検出装置が提供され、該検出装置は、検出ユニットを含み、無線リンク監視に関する第一タイマーが切れたときに、該検出ユニットはアンライセンスバンドを使用する無線リンクが失敗したと確定し；又は、端末装置の上位層がランダムアクセス問題の指示を受信しており、且つ再確立に関する第二タイマーが動作しないときに、該検出ユニットはアンライセンスバンドを使用する無線リンクが失敗したと確定する。
【０００９】
本発明の実施例の第二側面によれば、ネットワーク装置に設けられる無線リンク検出装置が提供され、該検出装置は設定・送信ユニットを含み、該設定・送信ユニットは、端末装置がチャネルのペイロードのパラメータに基づいて、無線リンク失敗検出用パラメータ及び／又は無線リンク失敗検出過程に対して調整を行うように設定し；又は、前記端末装置に同期信号ブロック及び／又は参照信号の送信状況を表すパラメータを送信し、前記端末装置に、前記無線リンク失敗検出用パラメータ及び／又は無線リンク失敗検出過程に対して調整を行わせる。
【００１０】
本発明の実施例の第三側面によれば、端末装置及びネットワーク装置を含む通信システムが提供され、該端末装置は上述の実施例の第一側面に記載の無線リンク検出装置を含み、該ネットワーク装置は上述の実施例の第二側面に記載の無線リンク検出装置を含む。
【００１１】
本発明の実施例の有益な効果は、アンライセンスバンドを使用する無線リンクの失敗を検出し得ることにある。
【００１２】
なお、「含む／有する」のような用語は、本明細書に使用されるときに、特徴、要素、ステップ、又はアセンブルの存在を指すが、１つ又は複数の他の特徴、要素、ステップ、又はアセンブリの存在又は付加を排除しないということも指す。
【図面の簡単な説明】
【００１３】
本発明の１つの図面又は１つの実施形態に記載の要素及び特徴は、１つ又は複数の他の図面又は実施形態に示した要素及び特徴と組み合わせることができる。また、図面では、類似した符号は、幾つの図面における対応する部品を示し、複数の実施形態に用いる対応部品を示すためにも用いられる。
【００１４】
含まれている図面は、本発明の実施例への更なる理解を提供するために用いられ、これらの図面は、本明細書の一部を構成し、本発明の実施形態を例示し、文字記載とともに本発明の原理を説明するために用いられる。また、明らかのように、以下に記載される図面は、本発明の幾つかの実施例を示すためのも的に過ぎず、当業者は、創造性のある労働をせずに、これらの図面に基づいて他の図面を得ることもできる。
【図１】本発明の通信システムを示す図である。
【図２】本発明の実施例１の無線リンク検出方法を示す図である。
【図３】本発明の実施例２の無線リンク検出方法を示す図である。
【図４】本発明の実施例３の無線リンク検出装置を示す図である。
【図５】本発明の実施例４の無線リンク検出装置を示す図である。
【図６】本発明の実施例５のネットワーク装置の構成図である。
【図７】本発明の実施例６の端末装置の構成図である。
【発明を実施するための形態】
【００１５】
添付した図面及び以下の説明を参照することにより、本発明の前述及び他の特徴が明らかになる。なお、明細書及び図面では、本発明の特定の実施形態を開示するが、それは、本発明の原理を採用し得る一部のみの実施形態を示し、理解すべきは、本発明は、記載される実施形態に限定されず、即ち、本発明は、添付した特許請求の範囲内のすべての変更、変形及び代替によるものも含むということである。
【００１６】
本発明の実施例では、用語「通信ネットワーク」又は「無線通信ネットワーク」は、次のような任意の通信規格に準ずるネットワークを指しても良く、例えば、ＬＴＥ（ＬＴＥ、Ｌｏｎｇ  Ｔｅｒｍ  Ｅｖｏｌｕｔｉｏｎ）、ＬＴＥ−Ａ（ＬＴＥ−Ａｄｖａｎｃｅｄ）、ＷＣＤＭＡ(登録商標)（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＨＳＰＡ（Ｈｉｇｈ−Ｓｐｅｅｄ  Ｐａｃｋｅｔ  Ａｃｃｅｓｓ）などである。
【００１７】
また、通信システムにおける装置間の通信は、任意の段階の通信プロトコルに従って行われても良く、例えば、次のような通信プロトコルを含んでも良いが、それに限定されず、即ち、１Ｇ（ｇｅｎｅｒａｔｉｏｎ）、２Ｇ、２．５Ｇ、２．７５Ｇ、３Ｇ、４Ｇ、４．５Ｇ及び将来の５Ｇ、新無線（ＮＲ、Ｎｅｗ  Ｒａｄｉｏ）など、及び／又は、その他の従来の又は将来に開発される通信プロトコルである。
【００１８】
本発明の実施例では、用語「ネットワーク装置」は、例えば、通信システムにおける、端末装置を通信ネットワークに接続し、且つ該端末装置にサービスを提供する装置を指す。ネットワーク装置は、次のようなものを含んでも良いが、それに限定されず、即ち、基地局（ＢＳ、Ｂａｓｅ  Ｓｔａｔｉｏｎ）、アクセスポイント（ＡＰ、Ａｃｃｅｓｓ  Ｐｏｉｎｔ）、送受信ポイント（ＴＲＰ、Ｔｒａｎｓｍｉｓｓｉｏｎ  Ｒｅｃｅｐｔｉｏｎ  Ｐｏｉｎｔ）、ブロードキャスト送信機、モバイル管理エンティティ（ＭＭＥ、Ｍｏｂｉｌｅ  Ｍａｎａｇｅｍｅｎｔ  Ｅｎｔｉｔｙ）、ネットワークゲートウェイ、サーバー、無線ネットワーク制御器（ＲＮＣ、Ｒａｄｉｏ  Ｎｅｔｗｏｒｋ  Ｃｏｎｔｒｏｌｌｅｒ）、基地局制御器（ＢＳＣ、Ｂａｓｅ  Ｓｔａｔｉｏｎ  Ｃｏｎｔｒｏｌｌｅｒ）などである。
【００１９】
そのうち、基地局は、次のようなものを含んでも良いが、それに限定されず、即ち、ノードＢ（ＮｏｄｅＢ又はＮＢ）、進化ノードＢ（ｅＮｏｄｅＢ又はｅＮＢ）及び５Ｇ基地局（ｇＮＢ）などであり、さらにＲＲＨ（Ｒｅｍｏｔｅ  Ｒａｄｉｏ  Ｈｅａｄ）、ＲＲＵ（Ｒｅｍｏｔｅ  Ｒａｄｉｏ  Ｕｎｉｔ）、リレー（ｒｅｌａｙ）又は低パワーノード（例えば、ｆｅｍｔｏ、ｐｉｃｏなど）を含んでも良い。また、用語「基地局」は、それらの一部又はすべての機能を含んでも良く、各基地局は、特定の地理的領域に対して通信カバレッジを提供することができる。用語「セル」が指すのは、基地局及び／又はそのカバーする領域であっても良い、これは、該用語のコンテキストによるものである。
【００２０】
本発明の実施例では、用語「ユーザ装置」（ＵＥ、Ｕｓｅｒ  Ｅｑｕｉｐｍｅｎｔ）又は「端末装置」（ＴＥ、Ｔｅｒｍｉｎａｌ  Ｅｑｕｉｐｍｅｎｔ）は、例えば、ネットワーク装置により通信ネットワークにアクセスし、且つネットワークからのサービスを受ける装置を指す。ユーザ装置は、固定したもの又は移動するものであっても良く、また、移動ステーション（ＭＳ、Ｍｏｂｉｌｅ  Ｓｔａｔｉｏｎ）、端末、加入者ステーション（ＳＳ、Ｓｕｂｓｃｒｉｂｅｒ  Ｓｔａｔｉｏｎ）、アクセス端末（ＡＴ、Ａｃｃｅｓｓ  Ｔｅｒｍｉｎａｌ）、ステーションなどとも称される。
【００２１】
そのうち、ユーザ装置は、次のようなものを含んでも良いが、それに限定されず、例えば、携帯電話（Ｃｅｌｌｕｌａｒ  Ｐｈｏｎｅ）、ＰＤＡ（Ｐｅｒｓｏｎａｌ  Ｄｉｇｉｔａｌ  Ａｓｓｉｓｔａｎｔ）、無線モデム、無線通信装置、携帯装置、マシンタイプ通信装置、ラップトップコンピュータ、コードレス電話機、スマートフォン、スマートウォッチ、デジタルカメラなどである。
【００２２】
また、例えば、ＩｏＴ（Ｉｎｔｅｒｎｅｔ  ｏｆ  Ｔｈｉｎｇｓ）などのシナリオでは、ユーザ装置は、さらに、監視又は測定を行う機器又は装置であっても良く、例えば、次のようなものを含んでも良いが、それに限定されず、即ち、マシンタイプ通信（ＭＴＣ、Ｍａｃｈｉｎｅ  Ｔｙｐｅ  Ｃｏｍｍｕｎｉｃａｔｉｏｎ）端末、車載通信端末、Ｄ２Ｄ（Ｄｅｖｉｃｅ  ｔｏ  Ｄｅｖｉｃｅ）端末、Ｍ２Ｍ（Ｍａｃｈｉｎｅ  ｔｏ  Ｍａｃｈｉｎｅ）端末などである。
【００２３】
また、用語「ネットワーク側」又は「ネットワーク装置側」とは、ネットワークの側を指し、又はる基地局であっても良く、上述のような１つ又は複数のネットワーク装置を含んでも良い。用語「ユーザ側」又は「端末側」又は「端末装置側」とは、ユーザ又は端末の側を指し、又はるＵＥであっても良く、上述のような１つ又は複数の端末装置を含んでも良い。
【００２４】
以下、例を挙げて本発明の実施例におけるシナリオについて説明を行うが、本発明は、これに限られない。
【００２５】
図１は、本発明の実施例における通信システムを示す図であり、端末装置及びネットワーク装置を例にとる場合を例示的に示している。図１に示すように、通信システム１００は、ネットワーク装置１０１及び端末装置１０２を含んでも良い。便宜のため、図１では、１つのみの端末装置を例にとって説明を行っているが、本発明の実施例はこれに限定されない。
【００２６】
本発明の実施例では、ネットワーク装置１０１と端末装置１０２との間は、従来のトラフィック又は将来実施可能なトラフィックが行われても良い。例えば、これらのトラフィックは、ｅＭＢＢ（ｅｎｈａｎｃｅｄ  Ｍｏｂｉｌｅ  Ｂｒｏａｄｂａｎｄ）、ｍＭＴＣ（ｍａｓｓｉｖｅ  Ｍａｃｈｉｎｅ  Ｔｙｐｅ  Ｃｏｍｍｕｎｉｃａｔｉｏｎ）、ＵＲＬＬＣ（Ｕｌｔｒａ−Ｒｅｌｉａｂｌｅ  ａｎｄ  Ｌｏｗ−Ｌａｔｅｎｃｙ  Ｃｏｍｍｕｎｉｃａｔｉｏｎ）などを含んでも良いが、これに限定されない。
【００２７】
そのうち、端末装置１０２はネットワーク装置１０１にデータを、例えば、グラント又はグラントフリーの伝送方式により送信することができる。端末装置１０１は１つ又は複数の端末装置１０２が送信するデータを受信し、そして、端末装置１０２に情報、例えば、確認ＡＣＫ／非確認ＮＡＣＫ情報などをフィードバックすることができ、端末装置１０２はフィードバック情報に基づいて伝送過程の終了を確定することができ、或いは、さらに新しいデータの伝送を行い、又は、データの再送を行うこともできる。
【００２８】
また、端末装置１０２がネットワーク装置１０１にアクセスする前に、ネットワーク装置１０１は端末装置１０２にシステム情報に関する情報を送信し、端末装置１０２は受信した情報に対して検出を行うことで、下りリンク同期を実現し、そして、ネットワーク装置１０１と接続を確立することができる。
【００２９】
以下、通信システムにおけるネットワーク装置を送信端とし、端末装置を受信端とすることを例にとって説明を行うが、本発明はこれに限定されず、送信端及び／又は受信端は他の装置であっても良い。例えば、本発明はネットワーク装置と端末装置との間の信号伝送に用いることができるだけでなく、２つの端末装置の間の信号伝送に適用することもできる。
【実施例１】
【００３０】
本発明の実施例１は無線リンク検出方法を提供し、該方法は端末装置により実行される。
【００３１】
図２は本実施例の無線リンク検出方法を図であり、図２に示すように、該方法は以下のステップを含む。
【００３２】
ステップ２０１：無線リンク監視に関する第一タイマーが切れたときに、端末装置はアンライセンスバンドを使用する無線リンクが失敗したと確定し；又は、端末装置の上位層がランダムアクセス問題の指示を受信しており、且つ再確立に関する第二タイマーが動作しないときに、該端末装置はアンライセンスバンドを使用する無線リンクが失敗したと確定する。
【００３３】
本実施例によれば、アンライセンスバンドを使用する無線リンクに対して無線リンク失敗検出を行うことができる。
【００３４】
本実施例のステップ２０１では、端末装置は２つの条件が満足されるときに、アンライセンスバンドを使用する無線リンクが失敗したと確定することができる。１番目の条件は、無線リンク監視に関する第一タイマーが切れたことであり、２番目の条件は、端末装置の上位層がランダムアクセス問題の指示を受信しており、且つ再確立に関する第二タイマーが作動（ワーキング）しないことである。
【００３５】
本実施例では、端末装置が１番目の条件に基づいて、アンライセンスバンドを使用する無線リンクの失敗を検出する過程は例えば以下の通りである。
【００３６】
端末装置の無線リソース制御（ＲＲＣ）層が下位層により指示される１つの特殊セル（該特殊セルは例えば、プライマリーセル（ＰＣｅｌｌ）又はプライマリー・セカンダリー・セル（ＰＳＣｅｌｌ）である）の一定数量（例えば、連続したＮ３１０、即ち、同期ずれ指示数量）の同期ずれ（Ｏｕｔ  Ｏｆ  Ｓｙｎｃ）指示を受信したときに、１つのタイマー（例えば第一タイマーＴ３１０）を起動し、該第一タイマーが切れた（即ち、該第一タイマーのワーキング時間が閾値としての持続時間を超えた）ときに、ＲＲＣは無線リンクが失敗したと確定する。
【００３７】
また、該第一タイマーＴ３１０の動作期間において、ＲＲＣ層が該特殊セルの一定数量（例えば、連続したＮ３１１、即ち、同期指示数量）個の同期（Ｉｎ  Ｓｙｎｃ）指示を受信したときに、該第一タイマーを停止することができる。
【００３８】
本実施例では、同期指示及び同期ずれ指示は物理層無線リンク監視の結果である。１つの特殊セルのすべての設定される無線リンク監視（ＲＬＭ）リソース上の無線リンク品質が閾値Ｑｏｕｔよりも悪いときに、物理層は無線リンク品質の評価を行うフレーム内で上位層に同期ずれ指示を報告する。１つの特殊セルの任意の１つの設定されるＲＬＭリソース上の無線リンク品質が閾値Ｑｉｎよりも良いときに、物理層は無線リンク品質の評価を行うフレーム内で上位層に同期指示を報告する。
【００３９】
該1番目の条件に基づいて、アンライセンスバンドを使用する無線リンクの失敗を検出する過程について、本発明の発明者は次のようなことを発見した。即ち、アンライセンスバンドを使用する無線リンクに対して失敗検出を行うときに、アンライセンスバンドに関する特殊メカニズムが無線リンク失敗検出に影響する可能性がある。例えば、アンライセンスバンドを用いて端末装置にサービスを提供するときに、ネットワーク装置及び端末装置は通信を行う前に、監視、即ち、ＬＢＴ（Ｌｉｓｔｅｎ  Ｂｅｆｏｒｅ  Ｔａｌｋ）を行うことで、チャネルがアイドル状態にあるかを確定する必要があり、チャネルがアイドル状態にあるときにのみ、ネットワーク装置は同期ブロック、参照信号、下りリンク制御情報、下りリンクデータなどを送信することができるので、アンライセンスバンドのチャネルがビジー状態にあるときは、無線リンク失敗検出に干渉を与えることがあり、同様に、アンライセンスバンドのチャネルがビジー状態にあるときは、端末装置が無線リンク失敗検出及び処理を行う過程で影響を受けることもある。
【００４０】
本実施例では、端末装置が上述の２番目の条件に基づいて、アンライセンスバンドを使用する無線リンクの失敗を検出する過程は例えば以下の通りである。
【００４１】
端末装置の上位層がランダムアクセスレスポンスを受信せず、又は、競合解決未成功時に、計数器ＰＲＥＡＭＢＬＥ＿ＴＲＡＮＳＭＩＳＳＩＯＮ＿ＣＯＵＮＴＥＲの計数値に１をプラスし、且つ、計数器ＰＲＥＡＭＢＬＥ＿ＴＲＡＮＳＭＩＳＳＩＯＮ＿ＣＯＵＮＴＥＲの値がｐｒｅａｍｂｌｅＴｒａｎｓＭａｘ＋１であるときに、上位層にランダムアクセスの問題を指示する。上位層がランダムアクセス問題の指示を受信し、且つ再確立に関する第二タイマー（例えば、Ｔ３１１）が動作しないときに、該端末装置はアンライセンスバンドを使用する無線リンクが失敗したと確定する。
【００４２】
そのうち、端末装置の上位層がランダムアクセスレスポンスを受信しないことは、例えば、ランダムアクセスレスポンスに関するウィンドウのウィンドウ長内で正確なランダムアクセスレスポンス（ＲＡＲ）を受信しないことなどであり；競合解決未成功は、例えば、ランダムアクセス競合解決に関する第三タイマーのワーキング時間が所定の持続時間を超えていることなどであり；ｐｒｅａｍｂｌｅＴｒａｎｓＭａｘは、前記端末装置の上位層にランダムアクセス問題の指示を送信するランダムアクセスプリアンブルを制御するための伝送回数閾値である。
【００４３】
該２番目の条件に基づいて、アンライセンスバンドを使用する無線リンクの失敗を検出する過程について、本発明の発明者は次のようなことを発見した。即ち、アンライセンスバンドを使用する無線リンクに対して失敗検出を行うときに、アンライセンスバンドに関する特殊メカニズムが無線リンク失敗検出に影響する可能性がある。例えば、アンライセンスバンドを用いて端末装置にサービスを提供するときに、ネットワーク装置及び端末装置は通信を行う前に、監視、即ち、ＬＢＴ（Ｌｉｓｔｅｎ  Ｂｅｆｏｒｅ  Ｔａｌｋ、ＬＢＴ）を行うことで、チャネルがアイドル状態にあるかを確定する必要があり、チャネルがアイドル状態にあるときにのみ、ネットワーク装置はランダムアクセスレスポンス又は競合解決のためのメッセージ４を送信することができるから、アンライセンスバンドのチャネルがビジー状態にあるときは、無線リンク失敗検出に干渉を与えることがあり、同様に、アンライセンスバンドのチャネルがビジー状態にあるときは、端末装置が無線リンク失敗検出及び処理を行う過程で影響を受けることもある。
【００４４】
本実施例では、図２に示すように、該方法はさらに次のようなステップを含んでも良い。
【００４５】
ステップ２０２：端末装置が計測したチャネルのペイロードのパラメータに基づいて、又は、ネットワーク装置提供の、同期信号ブロック及び／又は参照信号の送信状況のためのパラメータに基づいて、無線リンク失敗検出用パラメータ及び／又は無線リンク失敗検出過程に対して調整を行う。
【００４６】
本実施例では、ステップ２０２において検出用パラメータ及び／又は検出過程に対して調整を行った場合、ステップ２０１において端末装置は調整後の検出用の該パラメータ及び／又は調整後の検出過程に基づいて、該アンライセンスバンドを使用する無線リンクの失敗を確定することができる。
【００４７】
本実施例のステップ２０２では、該チャネルのペイロードのパラメータとは、チャネル使用状態を記述するパラメータを指す。そのうち、チャネルのペイロードのパラメータは次のパラメータのうちの少なくとも１つを含み、即ち、チャネルビジー率（Ｃｈａｎｎｅｌ  ｂｕｓｙ  ｒａｔｉｏ、ＣＢＲ）、チャネル占有率（Ｃｈａｎｎｅｌ  ｏｃｃｕｐａｎｃｙ  ｒａｔｉｏ、ＣＲ）、及びＬＢＴ成功率である。
【００４８】
本実施例では、チャネルビジー率とは、第一所定期間内で所定チャネルが使用される時間が該第一所定期間に占める比率を指す。例えば、チャネルビジー率は、設定される伝送プールにおけるリソースの或る測定量に対して測定を行うことで得られた結果がその対応する閾値よりも高いリソースが総設定リソースに占める比率であっても良い。そのうち、該測定量は例えば受信信号の強度指示（ＲＳＳＩ）であっても良く。チャネルビジー率はＬＴＥにおける機器通信及び／又は車載通信のためのパラメータであっても良く、新無線（ＮＲ）においてアンライセンスバンドのために導入される新しいパラメータであっても良い。
【００４９】
本実施例では、チャネル占有率とは、第二所定期間（例えば、現在のサブフレームの前後の計１０００個のサブフレームの時間）において所定チャネルで伝送した又はグラントしたリソース数が伝送プールに設定されるリソース総数に占める比率を指す。チャネル占有率はＬＴＥにおけるアンライセンスバンドのためのパラメータであっても良く、ＮＲにおいてアンライセンスバンドのために導入される新しいパラメータであっても良い。
【００５０】
本実施例では、ＬＢＴ成功率とは、第三所定期間内でＬＢＴの成功回数が該第三所定期間におけるすべてのＬＢＴの回数に占める比率を指す。
【００５１】
本実施例のステップ２０２では、ネットワーク装置が伝送し得るときに、ネットワーク装置提供の、同期信号ブロック及び／又は参照信号の送信状況を表すパラメータは以下のパラメータのうちの少なくとも１つを含んでも良い。
【００５２】
（１）ネットワーク装置と端末設置との間の実際送信の同期信号ブロックの情報であり、例えば、同期信号ブロックの周期、持続時間、ウィンドウ内の偏移量（オフセット量）などであり；
（２）実際送信の参照信号及び／又は同期信号ブロック（ＳＳＢ）の偏移（オフセット）であり、例えば、ＲＭＴＣ、発見信号測定タイミング設定（ＤＭＴＣ）又はＳＭＴＣウィンドウ外の伝送をサポートする場合、その前に設定されるＲＭＴＣ、ＤＭＴＣ又はＳＭＴＣに対して実際送信の参照信号及び／又はＳＳＢに発生した偏移であり；
（３）第四所定期間内でＬＢＴがもたらす、伝送することができない数量又は回数であり、該第四所定期間は例えば1つ前の通知から現在の時刻までの期間であり；
（４）ネットワーク装置により送信されるチャネルのペイロードのパラメータであり、該チャネルのペイロードのパラメータの定義は前述と同じであり、例えば、チャネルビジー率（Ｃｈａｎｎｅｌ  ｂｕｓｙ  ｒａｔｉｏ、ＣＢＲ）、チャネル占有率（Ｃｈａｎｎｅｌ  ｏｃｃｕｐａｎｃｙ  ｒａｔｉｏ、ＣＲ）、及びＬＢＴ成功率のうちの少なくとも１つを含んでも良く、また、該チャネルのペイロードのパラメータは例えば、他の端末装置が計測することで取得してから該ネットワーク装置に送信し、そして、該ネットワーク装置が該端末装置に送信することができ；又は、該チャネルのペイロードのパラメータは該ネットワーク装置自体により得ることができ、例えば、ネットワーク装置が測定により取得し、そして、該ネットワーク装置が該端末装置に送信することができる。
【００５３】
本実施例のステップ２０２では、調整される前記無線リンク失敗検出用パラメータは、上述の1番目の条件に基づいて無線リンク失敗を検出する過程で使用するパラメータであっても良く、例えば、次のパラメータのうちの少なくとも１つを含み、即ち、第一タイマー（Ｔ３１０）の持続時間、第一タイマー（Ｔ３１０）を起動するための同期ずれ指示数量（Ｎ３１０）、前記第一タイマー（Ｔ３１０）を停止するための同期指示数量（Ｎ３１１）、及び高速無線リンク失敗（ｆａｓｔ  ＲＬＦ）を検出するための第四タイマー（Ｔ３１２）の持続時間である。
【００５４】
この実施例では、上述の1番目の条件に基づいて無線リンク失敗を検出する過程で使用するパラメータを調整するので、ネットワークによってチャネルがビジー状態にあると監視したときにでも、無線リンクの失敗を正確に検出することができ、また、測定結果が報告指示に達する限り、物理層は常に同期ずれ指示を報告し、物理の変動が比較的小さい。
【００５５】
以下、例を挙げて、チャネルのペイロードのパラメータに基づいて上述のＴ３１０の持続時間、Ｎ３１０、Ｎ３１１、及びＴ３１２の持続時間を調整する方式について説明する。
【００５６】
第一実施方式において、同期ずれ指示数量をＮ３１０／（１−チャネルビジー率）に調整し、即ち、連続したＮ３１０／（１−チャネルビジー率）個の同期ずれ指示を受信したときに、第一タイマーＴ３１０を起動する。
【００５７】
第二実施方式において、タイマーＴ３１０の持続時間を設定値／（１−チャネルビジー率）に調整する。
【００５８】
第三実施方式において、高速無線リンク失敗（ｆａｓｔ  ＲＬＦ）をサポートする場合、タイマーＴ３１２の持続時間を設定値／（１−チャネルビジー率）に調整し、そのうち、Ｔ３１０がワーキングしており、且つ対応する測定対象の測定報告がトリガーされるときにＴ３１２を起動し、一旦Ｔ３１２が切れたら、直ぐに接続再確立プロシージャを開始する。
【００５９】
第四実施方式において、同期指示数量をＮ３１１＊（１−チャネルビジー率）に調整し、即ち、連続したＮ３１１＊（１−チャネルビジー率）個の同期ずれ指示を受信したときに、タイマーＴ３１０を停止する。
【００６０】
上述の例では、Ｎ３１０／（１−チャネルビジー率）、設定値／（１−チャネルビジー率）又はＮ３１１＊（１−チャネルビジー率）及び他の調整されるパラメータのパラメータ値は、調整後に整数でない場合、整数を取る。
【００６１】
上述の例では、チャネルのペイロードのパラメータは、チャネルビジー率を例にとっているが、これに限定されず、例えば、チャネル占有率又はＬＢＴの成功率であっても良い。チャネル占有率又はＬＢＴの成功率を使用して調整を行うときに、方法は逆であり、即ち、乗算＊により上述の除算／を置換し、除算／により上述の乗算＊を置換し、チャネル占有率又はＬＢＴの成功率により上述の（１−チャネルビジー率）を置換する。
【００６２】
上述の例では、パラメータの調整を行うステップは強制（ｍａｎｄａｔｏｒｙ）であっても良く、オプション（ｏｐｔｉｏｎａｌ）であっても良い。例えば、ネットワーク装置により設定されても良く、又は、端末装置自体により決定されても良い。そのうち、ネットワーク装置により設定されることは、ネットワーク装置がその応用を直接設定し；又は、ネットワーク装置が応用条件を設定し、端末が条件満足判断後に応用を行い；又は、ネットワーク装置が暗示的に設定することなどを含んでも良い。
【００６３】
本実施例では、ネットワーク装置が直接設定することは、上位層シグナリング、ＭＡＣ  ＣＥ、及び物理層制御シグナリングのうちの少なくとも１つを使用しても良く；ネットワーク装置が応用条件を設定する方法は、例えば、或る測定量（例えば、ＲＳＲＰ／ＲＳＲＱ／ＳＩＮＲ／チャネル占用比例など）の閾値を端末に指示し、該装置が、測定した結果が該閾値よりも高い又は低いときに、該方法を使ってパラメータ調整を行うことであっても良く；ネットワーク装置が暗示的に設定することは、例えば、ネットワーク装置によって、端末装置がアンライセンスバンドを使用することを設定することで、暗示的に、端末装置がチャネルのペイロードのパラメータに基づいて前記無線リンク失敗検出用パラメータを調整することを設定することであっても良い。
【００６４】
上述の例では、チャネルのペイロードのパラメータに基づく調整方法を説明した。ネットワーク装置提供の、同期信号ブロック及び／又は参照信号の送信状況を表すパラメータに基づく調整方法は、上述の例を参照することができる。
【００６５】
本実施例のステップ２０２において、調整される前記無線リンク失敗検出用パラメータは、上述の２番目の条件に基づいて無線リンク失敗を検出する過程で使用するパラメータであっても良く、例えば、次のパラメータのうちの少なくとも１つを含み、即ち、前記端末装置の上位層にランダムアクセス問題の指示を送信するランダムアクセスプリアンブルを制御するための伝送回数閾値ｐｒｅａｍｂｌｅＴｒａｎｓＭａｘ、ランダムアクセスレスポンスに関するウィンドウの長さ、及びランダムアクセス競合解決に関する第三タイマーの持続時間である。これらのパラメータに対する具体的な調整方法については、上述の例を参照することができる。
【００６６】
本実施例では、上述の２番目の条件に基づいて無線リンク失敗を検出する過程で使用するパラメータを調整することで、ランダムアクセス過程における無線リンク失敗の検出の正確性を向上させることができる。
【００６７】
本実施例のステップ２０２において、無線リンク失敗検出過程に対して調整を行っても良い。調整後の無線リンク失敗検出過程は、以下のステップのうちの少なくとも１つを含んでも良い。
【００６８】
（１）同期ずれ指示数量が前記第一タイマー（Ｔ３１０）を起動するための同期ずれ指示数量（Ｎ３１０）に達したときに、前記第一タイマー（Ｔ３１０）を起動せず、継続して計数を行い、第一指示数量（Ｎ３１３）に達したときに、前記第一タイマー（Ｔ３１０）を起動し、そのうち、前記第一指示数量（Ｎ３１３）の数値は、前記のネットワーク装置提供の、同期信号ブロック及び／又は参照信号の送信状況を表すためのパラメータに基づいて確定され；
（２）前記第一タイマー（Ｔ３１０）が作動しない場合、同期ずれ指示計数器をサスペンドし、前記同期ずれ指示計数器とは異なる第一計数器を使用し、該第一計数器の計数値が前記第一指示数量（Ｎ３１３）に達したときに、前記同期ずれ指示計数器は計数を回復し、そのうち、前記第一指示数量（Ｎ３１３）の数値は、前記のネットワーク装置提供の、同期信号ブロック及び／又は参照信号の送信状況を表すためのパラメータに基づいて確定され；
（３）ランダムアクセスプリアンブルの伝送回数が閾値＋１回に達したときに、前記端末装置の媒体訪問制御（ＭＡＣ）サブ層は上位層にランダムアクセス問題を報告せず、継続してランダムアクセスプリアンブルの伝送回数を計数し、計数値が第一数量Ｎ１に達したときに、前記上位層にランダムアクセス問題を報告し、該第一数量Ｎ１の数値は、前記のネットワーク装置提供の、同期信号ブロック及び／又は参照信号の送信状況を表すためのパラメータに基づいて確定され；
（４）ランダムアクセスプリアンブルの伝送回数の計数器をサスペンドし、前記ランダムアクセスプリアンブルの伝送回数の計数器とは異なる第二計数器を使用し、該第二計数器が第二数量（Ｎ２）に達したときに、ランダムアクセスプリアンブルの伝送回数の計数器は計数を回復し、該第二数量の数値は、前記のネットワーク装置提供の、同期信号ブロック及び／又は参照信号の送信状況を表すためのパラメータに基づいて確定される。
【００６９】
そのうち、上述の過程での計数器は、ハードウェアとしての計数器により実現されても良く、ソフトウェアとしてのプログラムにより実現されても良い。
【００７０】
本実施例では、無線リンク失敗検出過程を調整することにより、物理層の問題によりトリガーされる無線リンク失敗検出の正確性を向上させることができ、及び／又は、ランダムアクセス過程での無線リンク失敗検出の正確性を向上させることができる。
【００７１】
本実施例では、図２に示すように、該方法では、ステップ２０２ａによりステップ２０２を置換しても良い。
【００７２】
該ステップ２０２ａでは、端末装置の物理層が上位層に、同期ずれ指示のトリガー条件が調整され得ることを報告し、これにより、端末装置の物理層は調整後のトリガー条件に基づいて上位層に同期ずれ指示を報告し、上位層は受信した同期ずれ指示に応じて、無線リンク失敗検出用パラメータに基づいて、アンライセンスバンドを使用する無線リンクの失敗を確定することができる。これにより、物理層の行為を変えるだけで良く、上位層の協議（プロトコル）及び実現を変える必要がない。
【００７３】
１つの実施方式において、端末装置の物理層が上位層に、同期ずれ指示のトリガー条件が調整され得ることを報告することは、物理層が測定量と、閾値の組み合わせにおける各閾値との関係に基づいて、前記端末装置の上位層に同期ずれ指示を報告するかを確定することであり、そのうち、該閾値の組み合わせには少なくとも２つの閾値があっても良い。例えば、同一の測定量、例えば、ＰＤＣＣＨ  ＢＬＥＲ、ＳＳＢのＲＳＲＰ／ＲＳＲＱ／ＳＩＮＲ／ＲＥＥＩ、又はＣＳＩ−ＲＳのＲＳＲＰ／ＲＳＲＱ／ＳＩＮＲ／ＲＳＳＩについて、２つの閾値を使用しても良く、測定結果が第一閾値よりも高く又は低く、且つ第二閾値よりも低い又は高いときに、上位層に同期ずれ指示を報告する。
【００７４】
もう１つの実施方式において、端末装置の物理層が上位層に、同期ずれ指示のトリガー条件が調整され得ることを報告することは、チャネルのペイロードのパラメータと閾値との関係に基づいて、端末装置の上位層に同期ずれ指示を報告するかを確定し、そのうち、該チャネルのペイロードのパラメータはチャネルビジー率、チャネル占有率、及びＬＢＴ成功率のうちの少なくとも１つであっても良い。該チャネルのペイロードのパラメータの説明については前述の説明を参照することができる。該実施方式では、例えば、同期信号ブロック及び／又は参照信号の品質が閾値１よりも高く又は低く、且つチャネルビジー率が閾値２よりも低いときに、上位層に同期ずれ指示を報告し；また、例えば、同期信号ブロック及び／又は参照信号の品質が閾値１よりも高く又は低く、且つチャネル占有率又はＬＢＴ成功率が閾値３よりも高いときに、上位層に同期ずれ指示を報告する。
【００７５】
また、ステップ２０２ａによりステップ２０２を置換しなくても良く、これにより、パラメータ及び／又は過程の調整を行うと同時に、トリガー条件の調整を行うこともできる。
【００７６】
本発明の発明者はさらに次のことを発見した。即ち、アンライセンスバンドを使用する無線リンクの失敗を確定したときに、現在のメカニズム（例えば、セル選択、セル再選択、失敗報告など）を使用して処理を行う場合、アンライセンスバンドの特有の処理、例えば、ＬＢＴなどが原因で、接続が新しく確立された、アンライセンスバンドを使用するセル上で依然として無線リンクの失敗が生じることがある。よって、現在のメカニズムを調整する必要がある。
【００７７】
以下、アンライセンスバンドを使用する無線リンクの失敗を検出したときの処理について説明する。
【００７８】
本実施例では、図２に示すように、該方法はさらに以下のステップを含んでも良い。
【００７９】
ステップ２０３：アンライセンスバンド上の無線リンク失敗がプライマリーセル組に発生したと確定したときに、端末装置はセル選択又はセル再選択を行う。
【００８０】
本実施例では、端末装置にデュアル接続（Ｄｕａｌ  Ｃｏｎｎｅｃｔｉｖｉｔｙ、ＤＣ）が設定されない場合、又は、端末装置にＤＣが設定されており且つ無線リンク失敗がプライマリーセル組（ＭＣＧ）に発生した場合、無線リンク失敗がプライマリーセル組に発生したと見なすことができる。このような場合、端末装置は接続状態に留まり、１つの適切なセルを選択して接続の再確立を行っても良く、即ち、セル選択又はセル選択後にセル再選択を行う。無線リンク失敗確定後の一定の時間内で適切なセルを見つけることができない場合、ＵＥはアイドル状態に入る。
【００８１】
ステップ２０３において、端末装置がセル選択を行うときに、以下の方式のうちの少なくとも１つを採用しても良い。
【００８２】
（１）セル選択の基準、例えば、基準Ｓにおいて、アンライセンスバンドが第一閾値を使用し、該第一閾値はライセンスバンドが使用する第二閾値と同じであり又は異なり、例えば、ネットワーク装置はシステム情報（例えば、ＳＩＢ１）により、アンライセンスバンドに特定の最小値を提供し、該特定の最小値は該第一閾値の１つの例であり、該特定の最小値は例えば、Ｑｒｘｌｅｖｍｉｎ及び／又はＱｑｕａｌｍｉｎであっても良く、そのうち、Ｑｒｘｌｅｖｍｉｎは受信レベルの最小値であり、即ち、ＲＳＲＰの最小受信値であり、Ｑｑｕａｌｍｉｎは受信品質の最小値であり、即ち、ＲＳＲＱの最小値である。
【００８３】
（２）セル選択の基準（例えば、基準Ｓ）が、チャネルペイロードに関する偏移値により調整され、該チャネルペイロードは例えば、ネットワーク装置確定のチャネルペイロードであり、例えば、ネットワーク装置はシステム情報（例えば、ＳＩＢ１）により該偏移値Ｑｏｆｆｓｅｔｌｏａｄを提供し、該偏移値に基づいて、基準Ｓは例えば以下のように調整することができる。
【００８４】
Ｓｒｘｌｅｖ＝Ｑｒｘｌｅｖｍｅａｓ−（Ｑｒｘｌｅｖｍｉｎ＋Ｑｒｘｌｅｖｏｆｆｓｅｔ）−Ｐｃｏｍｐｅｎｓａｔｉｏｎ−Ｑｏｆｆｓｅｔｔｅｍｐ−Ｑｏｆｆｓｅｔｌｏａｄ
Ｓｑｕａｌ＝Ｑｑｕａｌｍｅａｓ−（Ｑｑｕａｌｍｉｎ＋Ｑｑｕａｌｏｆｆｓｅｔ）−Ｑｏｆｆｓｅｔｔｅｍｐ−Ｑｏｆｆｓｅｔｌｏａｄ
（３）セル選択の基準（例えば、基準Ｓ）において、該チャネルペイロードに関する測定量を使用し、該チャネルペイロードは、例えば、ネットワーク装置確定のチャネルペイロードであり、該チャネルペイロードに関する測定量がＳｌｏａｄと表れる場合、該測定量Ｓｌｏａｄに基づいて、基準Ｓは、例えば、Ｓｒｘｌｅｖ＞０且つＳｑｕａｌ＞０且つＳｌｏａｄ＜０であっても良い。
【００８５】
１つの実施方式において、該測定量Ｓｌｏａｄは以下の式により得ることができる。
【００８６】
Ｓｌｏａｄ＝Ｑｌｏａｄｍｅａｓ−（Ｑｌｏａｄｍａｘ＋Ｑｌｏａｄｍａｘｏｆｆｓｅｔ）−Ｑｏｆｆｓｅｔｔｅｍｐ１
そのうち、Ｑｌｏａｄｍｅａｓは或るセルの測定量のうちＲＳＳＩ値が閾値よりも高い測定量の比率であっても良く；Ｑｌｏａｄは設定される最大値であっても良く；Ｑｌｏａｄｍａｘｏｆｆｓｅｔ及びＱｏｆｆｓｅｔｔｅｍｐ１は２つの調整値であっても良い。Ｑｌｏａｄｍｅａｓ、Ｑｌｏａｄｍａｘ、Ｑｌｏａｄｍａｘｏｆｆｓｅｔ、及びＱｏｆｆｓｅｔｔｅｍｐ１はすべて比率であり、単位がない。
【００８７】
（４）セル選択の基準において、ネットワーク装置確定の、チャネルペイロードに関する測定量の閾値及び／又は偏移値を使用する。
【００８８】
ステップ２０３では、端末装置がセル再選択を行うときに以下の方式のうちの少なくとも１つを採用しても良い。
【００８９】
（１）端末装置が、アンライセンスバンドの優先度を、ライセンスバンドの優先度よりも低く設定し；
（２）セル再選択の基準が、チャネルペイロードに関する偏移値により調整され、該チャネルペイロードはネットワーク装置により確定されても良く、該セル再選択の基準は例えば、同じ周波数のセル及び優先度が同じある異なる周波数のセルのセル並べ替えＲ基準であり、例えば、チャネルペイロードに関する偏移値がＱｏｆｆｓｅｔｌｏａｄと表れる場合、Ｒ基準の隣接セル並べ替え基準ＲｎはＲｎ＝Ｑｍｅａｓ，ｎ−Ｑｏｆｆｓｅｔ−Ｑｏｆｆｓｅｔｌｏａｄと調整されても良く；
（３）セル再選択の基準（例えば、Ｒ基準）において、ネットワーク装置確定のチャネルペイロードに関する測定量を使用し、該Ｒ基準に使用する該測定量の説明については、上述の端末装置がセル選択を行うときの（３）の説明を参照することができ；
（４）セル再選択の基準において、ネットワーク装置確定の、チャネルペイロードに関する測定量の閾値及び／又は偏移値を使用する。
【００９０】
本実施例では、図２に示すように、該方法はさらに次のようなステップを含んでも良い。
【００９１】
ステップ２０４；無線リンク失敗発生時に、端末装置がネットワーク装置にチャネルのペイロードのパラメータを送信し、前記チャネルのペイロードのパラメータはチャネルビジー率、チャネル占有率、及びＬＢＴ成功率のうちの少なくとも１つを含む。
【００９２】
該チャネルのペイロードのパラメータは、１つ前のサービングセルの最後のペイロードの測定結果、及び／又は、リストされているセルのペイロード測定結果を含んでも良い。
【００９３】
そのうち、１つ前のサービングセルとは、無線リンク失敗が発生したセル又はプライマリーセルを指し、該ペイロードの測定結果はセルレベルのペイロードに関する測定結果及び／又はＳＳＢ／ＣＳＩ−ＲＳレベルのペイロードに関する測定結果であっても良い。
【００９４】
該チャネルのペイロードのパラメータの具体的なパラメータはチャネルビジー率、チャネル占有率、及びＬＢＴ成功率のうちの少なくとも１つであっても良く、該該チャネルのペイロードのパラメータの説明については、上述のステップ２０２の中のチャネルのペイロードのパラメータについての説明を参照することができる。
【００９５】
本実施例のステップ２０４の１つの実施方式において、アンライセンスバンドを使用する無線リンクの失敗が発生したときに、セル選択又はセル再選択により接続を再確立した後に、端末装置がその前の失敗セルのチャネルのペイロードのパラメータを有する場合、端末装置はネットワーク側にその前の失敗セルの該チャネルのペイロードのパラメータを報告することができる。そのうち、該チャネルのペイロードのパラメータは、次のメッセージのうちの少なくとも１つにより送信されても良く、即ち、無線リソース制御（ＲＲＣ）接続再設定完成メッセージ（ｃｏｍｐｌｅｔｅ  ｍｅｓｓａｇｅ）、無線リソース制御（ＲＲＣ）接続再確立完成メッセージ、無線リソース制御（ＲＲＣ）接続回復完成メッセージ、無線リソース制御（ＲＲＣ）接続確立完成メッセージ、測定報告メッセージ、及び端末装置情報レスポンスメッセージである。
【００９６】
本実施例のステップ２０４のもう１つの実施方式において、アンライセンスバンドを使用する無線リンクの失敗が発生したときに、端末が接続を再確立する必要がない場合、端末装置はネットワーク装置に失敗報告を送信して該無線リンク失敗を報告することができる。そのうち、端末が接続を再確立する必要がない場合は、例えば、端末装置にＤＣが設定されており且つ無線リンク失敗がセコンダリーセル組に発生し；又は、端末装置が重複（ｄｕｐｌｉｃａｔｉｏｎ）伝送を行い、且つｄｕｐｌｉｃａｔｉｏｎ伝送を行う複数のセルのうちの１つのセルにリンク失敗が発生したことである。
【００９７】
該実施方式では、端末装置が該失敗セルのチャネルのペイロードのパラメータを有する場合、該失敗報告は該失敗セルのチャネルのペイロードのパラメータを含んでも良い。該失敗報告はセコンダリーセル組（ＳＣＧ）情報報告メッセージにキャリー（ｃａｒｒｙ）されて送信することができる。
【００９８】
本実施例では、ステップ２０３、ステップ２０４、及びステップ２０１は組み合わせることで、無線リンク失敗の検出及び処理を行うことができる。ステップ２０２を採用しなくても良いため、物理層の協議及び実現に影響することがなく、上位層の協議及実現への影響が比較的小さいので、開発コストを節約することができる。また、セル選択及びセル再選択を行うときに、信号ペイロードのパラメータに基づいて選択を行うことができ、これにより、選択されるセルはより適切である。また、端末装置がネットワーク装置にチャネルのペイロードのパラメータを提供することにより、ネットワーク装置の情報の収集を助けることができ、これにより、移動性パラメータの調整に便利であり、端末装置のために、より良くサービングすることができる。
【００９９】
本実施例では、ステップ２０３、ステップ２０４、ステップ２０１、及びステップ２０２を組み合わせることで、無線リンク失敗の検出及び処理を行うこともでき、これにより、無線リンク失敗の検出の正確性を向上させることができるとともに、無線リンク失敗を検出した場合に、より適切なセルを選択することもできる。
【実施例２】
【０１００】
本実施例２は無線リンク検出方法を提供し、該方法由はネットワーク装置により実行される。
【０１０１】
図３は本発明の実施例２における無線リンク検出方法を示す図であり、図３に示すように、該方法は以下のステップを含む。
【０１０２】
ステップ３０１：ネットワーク装置が、端末装置を、チャネルのペイロードのパラメータに基づいて、前記無線リンク失敗検出用パラメータ及び／又は無線リンク失敗検出過程に対して調整を行うように設定し、又は、前記ネットワーク装置が、前記端末装置に同期信号ブロック及び／又は参照信号の送信状況を表すパラメータを送信し、前記端末装置に、前記無線リンク失敗検出用パラメータ及び／又は無線リンク失敗検出過程に対して調整を行わせる。
【０１０３】
本実施例のステップ３０１では、チャネルのペイロードのパラメータとは、チャネル使用状態を記述するパラメータを指す。該チャネルのペイロードのパラメータは次のパラメータのうちの少なくとも１つを含み、即ち、チャネルビジー率、チャネル占有率及びＬＢＴ成功率である。
【０１０４】
本実施例では、前記チャネルビジー率とは、第一所定期間内で所定チャネルが使用される時間が該第一所定期間に占める比率を指し；前記チャネル占有率とは、第二所定期間内で所定チャネルにおいて伝送した又はグラントしたリソース数が伝送プールに設定のリソース総数に占める比率を指し；前記ＬＢＴ成功率とは、第三所定期間内でＬＢＴの成功回数が該第三所定期間における全部のＬＢＴの回数に占める比率を指す。
【０１０５】
本実施のステップ３０１では、ネットワーク装置が前記端末装置に送信する、同期信号ブロック及び／又は参照信号の送信状況を表すパラメータは次のパラメータのうちの少なくとも１つを含み、即ち、前記ネットワーク装置と前記端末設置との間の実際送信の同期信号ブロックの情報、実際送信の参照信号及び／又は同期信号ブロック（ＳＳＢ）の偏移、第四所定期間でＬＢＴが原因で伝送することができない数量又は回数、及びネットワーク装置送信の、チャネルのペイロードのパラメータである。
【０１０６】
なお、無線リンク失敗検出用パラメータ及び／又は無線リンク失敗検出過程の説明については実施例１を参照することができる。
【０１０７】
本実施例では、図３に示すように、該方法はさらに以下のステップを含んでも良い。
【０１０８】
ステップ３０２：ネットワーク装置が端末装置送信の、チャネルのペイロードのパラメータを受信し、前記チャネルのペイロードのパラメータはチャネルビジー率、チャネル占有率、及びＬＢＴ成功率のうちの少なくとも１つを含む。
【０１０９】
ステップ３０２では、前記チャネルのペイロードのパラメータは以下のメッセージのうちの少なくとも１つにより送信され、即ち、無線リソース制御（ＲＲＣ）接続再設定完成メッセージ、無線リソース制御（ＲＲＣ）接続再確立完成メッセージ、無線リソース制御（ＲＲＣ）接続回復完成メッセージ、無線リソース制御（ＲＲＣ）接続確立完成メッセージ、測定報告メッセージ、端末装置情報レスポンスメッセージ、及びセコンダリーセル組（ＳＣＧ）情報報告メッセージである。
【０１１０】
本実施例では、図３に示すように、該方法はさらに以下のステップを含んでも良い。
【０１１１】
ステップ３０３：ネットワーク装置が端末装置に対して、セル選択に関するパラメータ及び／又はセル再選択に関するパラメータを設定する。
【０１１２】
１つの実施方式において、ネットワーク装置が端末装置に対して設定する、セル選択に関するパラメータは次の少なくとも１つであり、即ち、セル選択の基準においてアンライセンスバンドが使用する第一閾値、該第一閾値はライセンスバンドが使用する第二閾値と同じであり又は異なり；ネットワーク装置が確定するセル選択の基準のためのチャネルペイロードに関する偏移値；ネットワーク装置が確定するセル選択の基準のためのチャネルペイロードに関する測定量；及び、前記ネットワーク装置が確定するセル選択の基準におけるチャネルペイロードに関する測定量の閾値及び／又は偏移値である。
【０１１３】
もう１つの実施方式において、ネットワーク装置が端末装置に対して設定する、セル再選択に関するパラメータは次の少なくとも１つであり、即ち、ライセンスバンドの優先度がアンライセンスバンドの優先度よりも高いこと；ネットワーク装置が確定するセル再選択の基準のためのチャネルペイロードに関する偏移値；ネットワーク装置が確定するセル再選択の基準のためのチャネルペイロードに関する測定量；及び、前記ネットワーク装置が確定するセル再選択の基準におけるチャネルペイロードに関する測定量の閾値及び／又は偏移値である。
【０１１４】
本実施例では、ステップ３０３により、無線リンク失敗が発生しており、端末装置がセルを再び選択する必要があるときに、端末装置はステップ３０３で設定されるパラメータに基づいて、セル選択又はセル再選択を行うことができる。
【０１１５】
本実施例の方法では、ステップ３０１のみがあっても良く、これにより、端末装置が無線リンク失敗検出を行う正確性を向上させることができる。本実施例の方法では、ステップ３０２又はステップ３０３のみがあっても良く、これにより、無線リンク失敗発生時に、ネットワーク装置の情報の収集を助けることができ、又は、端末装置がより適切なセルを選択することに便利である。また、本実施例の方法では、ステップ３０１、ステップ３０２及びステップ３０３のうちの任意の２つ又は３つがあっても良く、これにより、該方法は各ステップの利点を有することができる。
【実施例３】
【０１１６】
本実施例３は無線リンク検出装置を提供し、それは端末装置に設けられる。該装置が問題を解決する原理が実施例１の方法と類似しているから、その具体的な実施については実施例１の方法の実施を参照することができ、ここでは内容が同じである重複説明を省略する。
【０１１７】
図４は本実施例３における無線リンク検出装置を示す図である。図４に示すように、装置４００は検出ユニット４０１を含む。
【０１１８】
本実施例では、無線リンク監視に関する第一タイマーが切れたときに、該検出ユニット４０１はアンライセンスバンドを使用する無線リンクが失敗したと確定し；又は、端末装置の上位層がランダムアクセス問題の指示を受信しており、且つ再確立に関する第二タイマーが動作しないときに、該検出ユニット４０１はアンライセンスバンドを使用する無線リンクが失敗したと確定する。
【０１１９】
本実施例では、図４に示すように、該装置４００はさらに第一調整ユニット４０２を含んでも良い。第一調整ユニット４０２は前記端末装置が計測したチャネルのペイロードのパラメータに基づいて、又は、ネットワーク装置提供の、同期信号ブロック及び／又は参照信号の送信状況を表すためのパラメータに基づいて、無線リンク失敗検出用パラメータ及び／又は無線リンク失敗検出過程を調整する。これにより、上述の検出ユニット４０１は調整後の前記パラメータ及び／又は前記過程に基づいて、前記アンライセンスバンドを使用する無線リンクの失敗を検出する。
【０１２０】
本実施例では、図４に示すように、該装置４００はさらに第一受信ユニット４０３を有しも良い。第一受信ユニット４０３はネットワーク装置の設定を受信し、そのうち、前記第一調整ユニット４０２は前記ネットワーク装置の設定に基づいて、前記無線リンク失敗検出用パラメータを調整する。
【０１２１】
本実施例では、図４に示すように、該装置４００はさらに第二調整ユニット４０４を含んでも良く、それは、端末装置の物理層が測定量と閾値の組み合わせにおける各閾値との関係に基づいて、又は、チャネルのペイロードのパラメータと閾値との関係に基づいて、前記端末装置の上位層に同期ずれ指示を報告するかを確定するように制御するために用いられる。そのうち、前記閾値の組み合わせには少なくとも２つの閾値があり、前記検出ユニット４０１は受信した前記同期ずれ指示に応じて、無線リンク失敗検出用パラメータに基づいて、前記アンライセンスバンドを使用する無線リンクの失敗を検出する。
【０１２２】
本実施例では、図４に示すように、該装置４００はさらに選択ユニット４０５を有しても良い。前記無線リンクの失敗がプライマリーセル組に発生したときに、前記選択ユニット４０４はセル選択又はセル再選択を行う。
【０１２３】
本実施例では、各ユニットの説明については実施例１の中の各ステップに関する説明を参照することができる。
【０１２４】
本実施例によれば、アンライセンスバンドの無線リンクの失敗を検出することができ、また、無線リンク失敗の検出の正確性を向上させることができ、さらに、無線リンク失敗を検出したときに、より適切なセルを選択することができる。
【実施例４】
【０１２５】
本実施例４は無線リンク検出装置を提供し、それはネットワーク装置に設置される。該装置が問題を解決する原理が実施例２の方法と類似しているので、その具体的な実施については実施例２の方法の実施を参照することができ、ここでは内容が同じである重複説明が省略される。
【０１２６】
図５は本実施例４における無線リンク検出装置を示す図である。図５に示すように、装置５００は設定・送信ユニット５０１を含む。該設定・送信ユニット５０１は、端末装置を、チャネルのペイロードのパラメータに基づいて、前記無線リンク失敗検出用パラメータ及び／又は無線リンク失敗検出過程に対して調整を行うように設定し；又は、前記端末装置に同期信号ブロック及び／又は参照信号の送信状況を表すパラメータを送信し、前記端末装置に、前記無線リンク失敗検出用パラメータ及び／又は無線リンク失敗検出過程に対して調整を行わせる。
【０１２７】
図５に示すように、該装置５００はさらに第二受信ユニット５０２を含む。無線リンク失敗発生時に、該第二受信ユニット５０２は端末装置送信の、チャネルのペイロードのパラメータを受信し、前記チャネルのペイロードのパラメータはチャネルビジー率、チャネル占有率、及びＬＢＴ成功率のうちの少なくとも１つを含む。
【０１２８】
図５に示すように、該装置５００はさらに第二設定ユニット５０３又は第三設定ユニット５０４を含む。そのうち、第二設定ユニット５０３は前記端末装置に対してセル選択に関するパラメータを設定し、第三設定ユニット５０４は前記端末装置に対してセル再選択に関するパラメータを設定する。
【０１２９】
本実施例では、各ユニットの説明については実施例２の中の各ステップに関する説明を参照することができる。
【０１３０】
本実施例によれば、端末装置が無線リンク失敗検出を行う正確性を向上させることができ、無線リンク失敗発生時に、ネットワーク装置の情報の収集を助けることができ、又は、端末装置がより適切なセルを選択することに便利である。
【実施例５】
【０１３１】
本実施例５はネットワーク装置を提供する。該装置が問題を解決する原理が実施例２の方法と類似したので、その具体的な実施については実施例２の方法の実施を参照することができ、ここでは内容が同じである重複説明を省略する。
【０１３２】
図６は本発明の実施例におけるネットワーク装置の構成図である。図６に示すように、ネットワーク装置６００は中央処理器（ＣＰＵ）６０１及び記憶器６０２を含んでも良く、記憶器６０２は中央処理器６０１に接続される。そのうち、該記憶器６０２は各種のデータを記憶することができ、また、データ処理用のプログラムを記憶し、且つ中央処理器６０１の制御下で該プログラムを実行することができる。
【０１３３】
１つの実施方式において、装置５００の機能が中央処理器６０１に統合されても良い。そのうち、中央処理器６０１は実施例２の無線リンク検出方法を実現するように構成されても良い。
【０１３４】
例えば、中央処理器６０１は制御を行って、ネットワーク装置６００に、実施例２の方法を実行させるように構成されても良い。
【０１３５】
また、該中央処理器６０１の他の設定方式については実施例２を参照することができるため、ここではその詳しい説明を省略する。
【０１３６】
もう１つの実施方式において、上述の装置５００は中央処理器６０１と別々で設置されても良く、例えば、装置５００を、中央処理器６０１に接続されるチップとして配置し、図６に示すユニットのように、中央処理器６０１の制御により装置５００の機能を実現しても良い。
【０１３７】
また、図６に示すように、ネットワーク装置６００はさらに送受信機６０３、アンテナ６０４などを含んでも良い。そのうち、これらの部品の機能が従来技術と同様であるから、ここではその詳しい説明を省略する。なお、ネットワーク装置６００は図６に示すすべての部品を含む必要がない。また、ネットワーク装置６００はさらに図６に無い部品を含んでも良い。これについては従来技術を参照することができる。
【０１３８】
本実施例によれば、端末装置が無線リンク失敗検出を行う正確性を向上させることができ、無線リンク失敗発生時に、ネットワーク装置の情報の収集を助けることができ、又は、端末装置のより適切なセルの選択に便利である。
【実施例６】
【０１３９】
本実施例６は端末装置を提供する。該装置が問題を解決する原理が実施例１の方法と類似しているから、その具体的な実施については実施例１の方法の実施を参照することができ、ここでは内容が同じである重複説明を省略する。
【０１４０】
図７は本発明の実施例における端末装置の構成図である。図７に示すように、端末装置７００は中央処理器（ＣＰＵ）７０１及び記憶器７０２を含んでも良く、記憶器７０２は中央処理器７０１に接続される。そのうち、該記憶器７０２は各種のデータを記憶することができ、また、データ処理用のプログラムを記憶し、且つ中央処理器７０１の制御下で該プログラムを実行することで、受信したシグナリングに基づいて端末装置に対して指示を行っても良い。
【０１４１】
１つの実施方式において、実施例３の装置４００の機能が端末装置７００の中央処理器７０１に集積されても良い。そのうち、中央処理器７０１は実施例１に記載の無線リンク検出方法を実行するように構成されても良い。
【０１４２】
例えば、中央処理器７０１は制御を行うことで、端末装置７００に、実施例１の方法を実行させるように構成されても良い。
【０１４３】
また、該中央処理器７０１の他の設定方式については実施例１を参照することができるため、ここではその詳しい説明を省略する。
【０１４４】
もう１つの実施方式において、上述の装置４００は中央処理器７０１と別々で設置されても良く、例えば、装置４００を、中央処理器７０１に接続されるチップとして構成し、図７に示すユニットのように、中央処理器７０１の制御により装置４００の機能を実現しても良い。
【０１４５】
本実施例によれば、アンライセンスバンドの無線リンクの失敗を検出することができ、また、無線リンク失敗の検出の正確性を向上させることができ、さらに、無線リンク失敗を検出した場合、より適切なセルを選択することができる。
【実施例７】
【０１４６】
本実施例７は通信システムを提供し、それは少なくとも実施例５のネットワーク装置６００及び実施例６の端末装置７００を含む。実施例５及び実施例６の内容はここに合併され、ここでの記載が省略される。
【０１４７】
本発明の実施例はさらに、コンピュータ可読プログラムを記憶した記憶媒体を提供し、そのうち、該コンピュータ可読プログラムは、無線リンク検出装置又は端末装置に、実施例１に記載の無線リンク検出方法を実行させる。
【０１４８】
本発明の実施例はさらに、コンピュータ可読プログラムを提供し、そのうち、無線リンク検出装置又は端末装置の中で該プログラムを実行するときに、該プログラムは、該無線リンク検出装置又は端末装置に、実施例１の無線リンク検出方法を実行させる。
【０１４９】
本発明の実施例はさらに、コンピュータ可読プログラムを記憶した記憶媒体を提供し、そのうち、該コンピュータ可読プログラムは、無線リンク検出装置又はネットワーク装置に、実施例２の無線リンク検出方法を実行させる。
【０１５０】
本発明の実施例はさらに、コンピュータ可読プログラムを提供し、そのうち、無線リンク検出装置又はネットワーク装置の中で該プログラムを実行するときに、該プログラムは、無線リンク検出装置又はネットワーク装置に実施例２に記載の無線リンク検出方法を実行させる。
【０１５１】
また、上述の装置及び方法は、ソフトウェア又はハードウェアにより実現されても良く、ハードウェアとソフトウェアとの組み合わせにより実現されても良い。本発明は、さらに、下記のようなコンピュータ読み取り可能なプログラムに関し、即ち、該プログラムは、ロジック部品により実行されるときに、該ロジック部品に、上述の装置又は構成部品を実現させ、又は、該ロジック部品に、上述の各種の方法又はステップを実現させる。ロジック部品は、例えば、ＦＰＧＡ（Ｆｉｅｌｄ  Ｐｒｏｇｒａｍｍａｂｌｅ  Ｇａｔｅ  Ａｒｒａｙ）、マイクロプロセッサ、コンピュータに用いる処理器などであっても良い。本発明は、さらに、上述のプログラムを記憶した記憶媒体、例えば、ハードディスク、磁気ディスク、光ハードディスク、ＤＶＤ、フラッシュメモリなどにも関する。
【０１５２】
さらに、図面に記載の機能ブロックのうちの１つ又は複数の組み合わせ及び／又は機能ブロックの１つ又は複数の組み合わせは、本明細書に記載の機能を実行するための汎用処理器、デジタル信号処理器（ＤＳＰ）、特定用途向け集積回路（ＡＳＩＣ）、フィールドプログラマブルゲートアレイ（ＦＰＧＡ）又は他のプログラム可能な論理部品、ディスクリートゲート又はトランジスタ論理部品、ディスクリートハードウェアアセンブリ又は他の任意の適切な組む合わせとして実現されても良い。また、図面に記載の機能ブロックのうちの１つ又は複数の組み合わせ及び／又は機能ブロックの１つ又は複数の組み合わせは、さらに、計算装置の組み合わせ、例えば、ＤＳＰ及びマイクロプロセッサの組み合わせ、複数のマイクロプロセッサ、ＤＳＰと通信により接続される１つ又は複数のマイクロプロセッサ又は他の任意の構成の組み合わせとして構成されても良い。
【０１５３】
以上、本発明の好ましい実施形態を説明したが、本発明はこのような実施形態に限定されず、本発明の趣旨を離脱しない限り、本発明に対するあらゆる変更は本発明の技術的範囲に属する。
【０１５４】
また、上述の実施例などに関し、さらに以下の付記を開示する。
【０１５５】
（付記１）
端末装置に設置される無線リンク検出装置であって、
検出ユニットを含み、
無線リンク監視に関する第一タイマーが切れたときに、該検出ユニットはアンライセンスバンドを使用する無線リンクが失敗したと確定し；又は
端末装置の上位層がランダムアクセス問題の指示を受信しており、且つ再確立に関する第二タイマーが動作しないときに、該検出ユニットはアンライセンスバンドを使用する無線リンクが失敗したと確定する、検出装置。
【０１５６】
（付記２）
付記１に記載の装置であって、
前記装置はさらに第一調整ユニットを含み、
前記第一調整ユニットは、前記端末装置が計測したチャネルのペイロードのパラメータに基づいて、又は、ネットワーク装置提供の、同期信号ブロック及び／又は参照信号の送信状況のためのパラメータに基づいて、無線リンク失敗検出用パラメータ及び／又は無線リンク失敗検出過程を調整し、
そのうち、前記検出ユニットは調整後の前記パラメータ及び／又は前記過程に基づいて、前記アンライセンスバンドを使用する無線リンクの失敗を確定する、装置。
【０１５７】
（付記３）
付記２に記載の装置であって、
調整される前記無線リンク失敗検出用パラメータは、以下のパラメータのうちの少なくとも１つを含み、即ち、
前記第一タイマー（Ｔ３１０）の持続時間、前記第一タイマー（Ｔ３１０）を起動させるための同期ずれ指示数量（Ｎ３１０）前記第一タイマー（Ｔ３１０）を停止させるための同期指示数量（Ｎ３１１）、及び高速無線リンク失敗（ｆａｓｔ  ＲＬＦ）検出時の第四タイマー（Ｔ３１２）の持続時間であり、
或る以、調整される前記無線リンク失敗検出用パラメータは、以下のパラメータのうちの少なくとも１つを含み、即ち、
前記端末装置の上位層にランダムアクセス問題の指示を送信するランダムアクセスプリアンブルを制御するための伝送回数閾値、ランダムアクセスレスポンスに関するウィンドウの長さ、及びランダムアクセス競合解決に関する第三タイマーの持続時間である、装置。
【０１５８】
（付記４）
付記２に記載の装置であって、
調整後の無線リンク失敗検出過程は、以下のステップのうちの少なくとも１つを含み、即ち、
同期ずれ指示数量が前記第一タイマー（Ｔ３１０）を起動するための同期ずれ指示数量（Ｎ３１０）に達したときに、前記第一タイマー（Ｔ３１０）を起動せず、継続して計数し、第一指示数量（Ｎ３１３）に達したときに、前記第一タイマー（Ｔ３１０）を起動し、そのうち、前記第一指示数量（Ｎ３１３）の数値は前記のネットワーク装置提供の、同期信号ブロック及び／又は参照信号の送信状況を示すパラメータに基づいて確定され；
前記第一タイマー（Ｔ３１０）が動作しない場合、同期ずれ指示計数器をサスペンドし、前記同期ずれ指示計数器とは異なる第一計数器を使用し、該第一計数器の計数値が前記第一指示数量（Ｎ３１３）に達したときに、前記同期ずれ指示計数器が計数を回復し、そのうち、前記第一指示数量（Ｎ３１３）の数値は前記のネットワーク装置提供の、同期信号ブロック及び／又は参照信号の送信状況を示すパラメータに達した確定され；
ランダムアクセスプリアンブルの伝送回数が閾値＋１回に達したときに、前記端末装置の媒体アクセス制御（ＭＡＣ）サブ層が上位層にランダムアクセス問題を報告せず、継続してランダムアクセスプリアンブルの伝送回数を計数し、計数値が第一数量（Ｎ１）に達したときに、前記上位層にランダムアクセス問題を報告し、該第一数量の数値は前記のネットワーク装置提供の、同期信号ブロック及び／又は参照信号の送信状況を示すパラメータに基づいて確定され；及び
ランダムアクセスプリアンブルの伝送回数の計数器をサスペンドし、前記ランダムアクセスプリアンブルの伝送回数の計数器とは異なる第二計数器を使用し、該第二計数器が第二数量（Ｎ２）に達したときに、ランダムアクセスプリアンブルの伝送回数計数器は係数を回復し、該第二数量の数値は前記のネットワーク装置提供の、同期信号ブロック及び／又は参照信号の送信状況を示すパラメータに基づいて確定されるステップである、装置。
【０１５９】
（付記５）
付記２に記載の装置であって、
前記チャネルのペイロードのパラメータとは、チャネル使用状態を記述するパラメータを指す、装置。
【０１６０】
（付記６）
付記５に記載の装置であって、
前記チャネルのペイロードのパラメータは次のパラメータのうちの少なくとも１つを含み、即ち、チャネルビジー率、チャネル占有率、及びＬＢＴ成功率である、装置。
【０１６１】
（付記７）
付記６に記載の装置であって、
前記チャネルビジー率とは、第一所定期間内で所定チャネルが使用される時間が該第一所定期間に占める比率を指す、装置。
【０１６２】
（付記８）
付記６に記載の装置であって、
前記チャネル占有率とは、第二所定期間内で所定チャネルに伝送した又はグラントしたリソース数が伝送プールに設定のリソース総数に占める比率を指す、装置。
【０１６３】
（付記９）
付記６に記載の装置であって、
前記ＬＢＴ成功率とは、第三所定期間内でＬＢＴの成功の回数が該第三所定期間内の全部のＬＢＴの回数に占める比率を指す、装置。
【０１６４】
（付記１０）
付記２−１０のうちの任意の一項に記載の装置であって、
前記装置はさらに第一受信ユニットを含み、
前記第一受信ユニットはネットワーク装置の設定を受信し、
そのうち、前記第一調整ユニットは前記ネットワーク装置の設定に基づいて、前記無線リンク失敗検出用パラメータを調整する、装置。
【０１６５】
（付記１１）
付記２に記載の装置であって、
ネットワーク装置提供の、同期信号ブロック及び／又は参照信号の送信状況を表すパラメータは以下のパラメータのうちの少なくとも１つを含み、即ち、
前記ネットワーク装置と前記端末装置との間の実際送信の同期信号ブロックの情報、実際送信の参照信号及び／又は同期信号ブロック（ＳＳＢ）の偏移、第四所定期間内でＬＢＴが原因で伝送できない数量又は回数、及びネットワーク装置送信の、チャネルのペイロードのパラメータである、装置。
【０１６６】
（付記１２）
付記１−１１のうちの任意の１項に記載の装置であって、
前記装置はさらに選択ユニットを含み、
前記選択ユニットは、現在の無線リンク失敗がプライマリーセル組に発生したときに、セル選択又はセル再選択を行う、装置。
【０１６７】
（付記１３）
付記１２に記載の装置であって、
前記選択ユニットがセル選択を行うときに、
セル選択の基準においてアンライセンスバンドが第一閾値を使用し、該第一閾値はライセンスバンドが使用する第二閾値と同じであり又は異なり；又は
セル選択の基準が、ネットワーク装置確定のチャネルペイロードに関する偏移値により調整され；又は
セル選択の基準において前記ネットワーク装置確定のチャネルペイロードに関する測定量を使用し；又は
セル選択の基準において前記ネットワーク装置確定のチャネルペイロードに関する測定量の閾値及び／又は偏移値を使用する、装置。
【０１６８】
（付記１４）
付記１２に記載の装置であって、
前記選択ユニットがセル再選択を行うときに、
端末装置がアンライセンスバンドの優先度をライセンスバンドの優先度よりも低く設定し；又は
セル再選択の基準が前記ネットワーク装置確定のチャネルペイロードに関する偏移値により調整され；又は
セル再選択の基準において前記ネットワーク装置確定のチャネルペイロードに関する測定量を使用し；又は
セル再選択の基準において前記ネットワーク装置確定のチャネルペイロードに関する測定量の閾値及び／又は偏移値を使用する、装置。
【０１６９】
（付記１５）
付記１−１２のうちの任意の一項に記載の装置であって、
前記装置はさらに、第一送信ユニットを含み、
無線リンク失敗発生時に、前記第一送信ユニットはネットワーク装置にチャネルのペイロードのパラメータを送信し、前記チャネルのペイロードのパラメータはチャネルビジー率、チャネル占有率、及びＬＢＴ成功率のうちの少なくとも１つを含む、装置。
【０１７０】
（付記１６）
付記１５に記載の装置であって、
前記チャネルのペイロードのパラメータは以下のメッセージのうちの少なくとも１つにより送信され、即ち、
無線リソース制御（ＲＲＣ）接続再設定完成メッセージ、無線リソース制御（ＲＲＣ）接続再確立完成メッセージ、無線リソース制御（ＲＲＣ）接続回復完成メッセージ、無線リソース制御（ＲＲＣ）接続確立完成メッセージ、測定報告メッセージ、端末装置情報レスポンスメッセージ、及びセコンダリーセル組（ＳＣＧ）情報報告メッセージである、装置。
【０１７１】
（付記１７）
付記１に記載の装置であって、
第二調整ユニットをさらに含み、それは、端末装置の物理層が測定量と閾値の組み合わせのうちの閾値との関係に基づいて、又は、チャネルのペイロードのパラメータと閾値との関係に基づいて、前記端末装置の上位層に同期ずれ指示を報告するかを確定するように制御するために用いられ、
そのうち、前記閾値の組み合わせには少なくとも２つの閾値があり、
前記検出ユニットは、受信した前記同期ずれ指示に応じて、無線リンク失敗検出用パラメータに基づいて、前記アンライセンスバンドを使用する無線リンクの失敗を確定する、装置。
【０１７２】
（付記１８）
ネットワーク装置に設置される無線リンク検出装置であって、
該装置は設定・送信ユニットを含み、該設定・送信ユニットは、
端末装置を、チャネルのペイロードのパラメータに基づいて、前記無線リンク失敗検出用パラメータ及び／又は無線リンク失敗検出過程に対して調整を行うように設定し；又は
前記端末装置に同期信号ブロック及び／又は参照信号の送信状況を表すパラメータを送信し、前記端末装置に、前記無線リンク失敗検出用パラメータ及び／又は無線リンク失敗検出過程に対して調整を行わせる、装置。
【０１７３】
（付記１９）
付記１８に記載の装置であって、
前記チャネルのペイロードのパラメータとはチャネル使用状態を記述するパラメータを指す、装置。
【０１７４】
（付記２０）
付記１９に記載の装置であって、
前記チャネルのペイロードのパラメータは次のパラメータのうちの少なくとも１つを含み、即ち、チャネルビジー率、チャネル占有率、及びＬＢＴ成功率である、装置。
【０１７５】
（付記２１）
付記２０に記載の装置であって、
前記チャネルビジー率とは、第一所定期間内で所定チャネルが使用される時間が該第一所定期間に占める比率を指す、装置。
【０１７６】
（付記２２）
付記２０に記載の装置であって、
前記チャネル占有率とは、第二所定期間内で所定チャネルにおいて伝送した又はグラントしたリソース数が伝送プールに設定のリソース総数に占める比率を指す、装置。
【０１７７】
（付記２３）
付記２０に記載の装置であって、
前記ＬＢＴ成功率とは、第三所定期間内のＬＢＴの成功回数が該第三所定期間内の全部のＬＢＴの回数に占める比率を指す、装置。
【０１７８】
（付記２４）
付記１８に記載の装置であって、
ネットワーク装置が前記端末装置に送信する、同期信号ブロック及び／又は参照信号の送信状況を表すパラメータは以下のパラメータのうちの少なくとも１つを含み、即ち、
前記ネットワーク装置と前記端末設置との間の実際送信の同期信号ブロックの情報、実際送信の参照信号及び／又は同期信号ブロック（ＳＳＢ）の偏移、第四所定期間内でＬＢＴが原因で伝送できない数量又は回数、及びネットワーク装置送信の、チャネルのペイロードのパラメータである、装置。
【０１７９】
（付記２５）
付記１８−２４のうちの任意の一項に記載の装置であって、
前記装置はさらに第二受信ユニットを含み、該第二受信ユニットは端末装置送信の、チャネルのペイロードのパラメータを受信し、前記チャネルのペイロードのパラメータはチャネルビジー率、チャネル占有率、及びＬＢＴ成功率のうちの少なくとも１つを含む、装置。
【０１８０】
（付記２６）
付記２５に記載の装置であって、
前記チャネルのペイロードのパラメータは以下メッセージのうちの少なくとも１つにより送信され、即ち、
無線リソース制御（ＲＲＣ）接続再設定完成メッセージ、無線リソース制御（ＲＲＣ）接続再確立完成メッセージ、無線リソース制御（ＲＲＣ）接続回復完成メッセージ、無線リソース制御（ＲＲＣ）接続確立完成メッセージ、測定報告メッセージ、端末装置情報レスポンスメッセージ、及びセコンダリーセル組（ＳＣＧ）情報報告メッセージである、装置。
【０１８１】
（付記２７）
付記１８−２６のうちの任意の一項に記載の装置であって、
前記装置はさらに第二設定ユニットを含み、それは前記端末装置に対して以下のパラメータのうちの１つを設定し、即ち、
セル選択の基準においてアンライセンスバンドが使用する第一閾値であって、該第一閾値はライセンスバンドが使用する第二閾値と同じであり又は異なる、もの；又は
ネットワーク装置が確定する、セル選択の基準のためのチャネルペイロードに関する偏移値；又は
ネットワーク装置が確定する、セル選択の基準のチャネルペイロードに関する測定量；又は
前記ネットワーク装置が確定する、セル選択の基準におけるチャネルペイロードに関する測定量の閾値及び／又は偏移値である、装置。
【０１８２】
（付記２８）
付記１８−２６のうちの任意の一項に記載の装置であって、
前記装置はさらに第三設定ユニットを含み、それは前記端末装置がセル再選択を行うときに以下のパラメータのうちの１つを設定し、即ち、
ライセンスバンドの優先度がアンライセンスバンドの優先度よりも高いこと；又は
ネットワーク装置確定の、セル再選択の基準のためのチャネルペイロードに関する偏移値；又は
ネットワーク装置確定の、セル再選択の基準のためのチャネルペイロードに関する測定量；又は
前記ネットワーク装置確定の、セル再選択の基準におけりチャネルペイロードに関する測定量の閾値及び／又は偏移値である、装置。
【０１８３】
（付記２９）
ネットワーク装置及び端末装置を含む通信システムであって、
前記ネットワーク装置は付記１８−２８のうちの任意の一項に記載の無線リンク検出装置を含み、前記ネットワーク装置は付記１−１７のうちの任意の一項に記載の無線リンク検出装置を有する、通信システム。
【図１】
2021532630.tif 000003
【図２】
2021532630.tif 000004
【図３】
2021532630.tif 000005
【図４】
2021532630.tif 000006
【図５】
2021532630.tif 000007
【図６】
2021532630.tif 000008
【図７】
2021532630.tif 000009
【国際調査報告】
2021532630.tif 000010
2021532630.tif 000011
2021532630.tif 000012
2021532630.tif 000013